(57)【特許請求の範囲】
【請求項１】
キャビネット体に取り付けられ、引き出しパーツを有する引き出しであって、
前記キャビネット体には、少なくとも１個のスライドレールキットを設置し、これに搭載され、これにより、前記キャビネット体に相対して移動し、
前記引き出しパーツは、第一壁、取り付け対応部材、第二壁を有し、
前記第一壁は、縦方向セクションと横方向セクションを有し、前記横方向セクションは、前記縦方向セクションと横方向に連接し、前記縦方向セクションと前記横方向セクションとは、凹部を定義し、
前記取り付け対応部材は、前記第一壁に付着し、前記取り付け対応部材は、第一取り付け部と第二取り付け部を有し、前記第二取り付け部は、前記第一取り付け部と垂直に連接し、前記第二取り付け部は、前記第一取り付け部を、第一部と第二部とに区分し、前記第二取り付け部は、前記第一壁の前記凹部内に取り付けられ、前記第一取り付け部の前記第二部には、前記第一壁の前記縦方向セクションが接触し、
前記第二壁は、端部を有し、前記取り付け対応部材の前記第一取り付け部の前記第一部と前記第二取り付け部との間に取り付けられ、
前記少なくとも１個のスライドレールキットは、さらに第一レール、第二レール、キャリアレールを有し、前記第二レールは前記第一レールに相対し可動するように移動し、前記キャリアレールは、前記第一壁に連接し、前記キャリアレールには、ギャップ、係止壁を設置し、前記係止壁は前記ギャップに隣り合い、前記第二レールは、フック部を有し、前記フック部は前記ギャップに進入し、前記係止壁に掛けて設置され、
延伸セクションをさらに有し、前記延伸セクションは、前記取り付け対応部材の前記第二取り付け部より湾曲して延伸し、前記延伸セクションは、前記第二レールの前記フック部と前記第一壁の外壁部との間に取り付けられることを特徴とする引き出し。
【請求項２】
前記引き出しパーツの前記取り付け対応部材の前記第一取り付け部の前記第一部は、少なくとも１個の取り付け部を有し、少なくとも１個の連接部材が、前記少なくとも１個の取り付け部に取り付けられ、前記第二壁に連接することを特徴とする請求項１に記載の引き出し。
【請求項３】
前記引き出しパーツの前記取り付け対応部材の前記第一取り付け部の前記第二部の幅は、前記第一壁の前記縦方向セクションの幅におおよそ等しいことを特徴とする請求項１に記載の引き出し。
【請求項４】
前記引き出しパーツの前記第一壁の前記縦方向セクションと前記横方向セクションとが、Ｌ形状を構成することを特徴とする請求項１に記載の引き出し。
【発明の詳細な説明】
【技術分野】
【０００１】
本発明は家具に関し、特に取り付け対応部材により、引き出しパーツの２個の壁を一体に取り付けられる引き出しパーツを用いる引き出しに関する。
【背景技術】
【０００２】
一般に、引き出しは複数の壁を有し、これら複数の壁により空間を形成し、これに物品を収納する。
特許文献１に開示する引き出しは、引き出しサイド壁１０を有し、引き出し壁１１と、対応部１４により一体に取り付けられる。
取り付け過程においては先ず、対応部１４を引き出し壁１１に固定した後、引き出し壁１１を、対応部１４により、引き出しサイド壁１０の槽１５中に取り付ける。
【０００３】
上記の特許文献１に開示された引き出しは、対応部１４により、引き出しサイド壁１０と引き出し壁１１とを一体に取り付けられるが、引き出し壁の構造設計が多様化する状況において、異なる製品を提供できれば、消費者にさらに多くの選択を提示することができる。
【先行技術文献】
【特許文献】
【０００４】
【特許文献１】米国特許第ＵＳ２０１４／０１６７５８６Ａ１号明細書
【発明の概要】
【発明が解決しようとする課題】
【０００５】
前記先行技術は、対応部により引き出しサイド壁と引き出し壁とを一体に取り付けられるが、引き出し壁の構造設計が多様化する状況において、消費者に多くの選択を提示できない欠点がある。
【課題を解決するための手段】
【０００６】
本発明は取り付け対応部材により、２個の壁を一体に取り付けられる引き出しパーツを用いた引き出しを提供する。
【０００７】
本発明による引き出しパーツ、引き出し及びその取り付け対応部材において、引き出しパーツは、第一壁、取り付け対応部材、及び第二壁を有する。
該第一壁は、凹部を定義する。
該取り付け対応部材は、該第一壁に付着し、該取り付け対応部材は、第一取り付け部と第二取り付け部を有し、該第二取り付け部は、該第一取り付け部と垂直に連接される。
該第二取り付け部は、第一取り付け部を、第一部と第二部とに区分し、該第二取り付け部は、該第一壁の凹部内に取り付けられる。
該第二壁は、端部を有し、該取り付け対応部材の第一取り付け部の第一部と第二取り付け部との間に取り付けられる。
【０００８】
本発明はさらに、引き出しをキャビネット体に取り付ける。
該キャビネット体には、少なくとも１個のスライドレールキットを設置し、これに該引き出しを搭載し、これにより該引き出しは、該キャビネット体に相対して移動し、該引き出しは、引き出しパーツを有し、該引き出しパーツは、第一壁、取り付け対応部材、及び第二壁を有する。
該第一壁は、縦方向セクションと横方向セクションを有し、該横方向セクションは、該縦方向セクションと横方向に連接し、該縦方向セクションと該横方向セクションとは、凹部を定義する。
該取り付け対応部材は、該第一壁に付着し、該取り付け対応部材は、第一取り付け部と第二取り付け部を有し、該第二取り付け部は、該第一取り付け部と垂直に連接される。該第二取り付け部は、該第一取り付け部を、第一部と第二部とに区分し、該第二取り付け部は、該第一壁の凹部内に取り付けられ、該第一取り付け部の第二部には、該第一壁の縦方向セクションが接触する。
該第二壁は、端部を有し、該取り付け対応部材の第一取り付け部の第一部と第二取り付け部との間に取り付けられる
【０００９】
本発明はさらに、該取り付け対応部材の第一取り付け部の第一部は、少なくとも１個の取り付け部を有し、該引き出しパーツは、少なくとも１個の連接部材をさらに有し、該少なくとも１個の取り付け部に取り付けられ、該第二壁に連接する。
【００１０】
本発明はさらに、該第一壁は、縦方向セクションと横方向セクションを有し、該横方向セクションは、該縦方向セクションと横方向に連接し、該縦方向セクションと該横方向セクションとは、該凹部を定義し、該第一取り付け部の第二部には、該第一壁の縦方向セクションが接触する。
【００１１】
本発明はさらに、該第一壁は、端部を有し、該縦方向セクションと該横方向セクションとは、該第一壁に隣り合う端部に位置する。
【００１２】
本発明はさらに、該取り付け対応部材の第一取り付け部の第二部の幅は、該第一壁の縦方向セクションの幅におおよそ等しい。
【００１３】
本発明はさらに、該第一壁の縦方向セクションと横方向セクションとはおおよそＬ形状を構成する。
【００１４】
本発明の少なくとも１個のスライドレールキットはさらに第一レール、第二レール、キャリアレールを有する。
該第二レールは、該第一レールに相対し可動するように移動する。
該キャリアレールは、該第一壁に連接し、該キャリアレールには、ギャップ、係止壁を設置し、該係止壁は該ギャップに隣り合う。
該第二レールは、フック部を有し、該フック部は該ギャップに進入し、該係止壁に掛けて設置される。
該引き出しは、延伸セクションをさらに有し、該延伸セクションは、該取り付け対応部材の第二取り付け部より湾曲して延伸し、該延伸セクションは、該第二レールのフック部と該第一壁の外壁部との間に取り付けられる。
【００１６】
本発明の実施形態を応用する特徴の一つは、取り付け対応部材により、引き出しパーツの２個の壁を一体に取り付けられる。
【図面の簡単な説明】
【００１７】
【図１】本発明一実施形態のシステムがキャビネット体を有し、引き出しがスライドレールキットによりキャビネット体に相対して一位置まで移動する様子を示す立体模式図である。
【図２】本発明一実施形態の引き出しのサイド壁とキャリアレールとが一体に連接され、しかもキャリアレールがギャップを有し、スライドレールのフック部に対応する様子を示す模式図である。
【図３】図２のスライドレールのフック部がキャリアレールのギャップに進入し、しかも係止壁に掛かる様子を示す模式図である。
【図４】本発明一実施形態の取り付け対応部材が引き出しのサイド壁に取り付けられる様子を示す立体分解模式図である。
【図５】本発明一実施形態の取り付け対応部材が引き出しのサイド壁に取り付けられ、しかも後板が連接部材により取り付け対応部材に取り付けられる様子を示す立体分解模式図である。
【図６】本発明一実施形態の引き出しのサイド壁と後板とが取り付け対応部材により一体に取り付けられる様子を示す立体模式図である。
【図７】本発明一実施形態の取り付け対応部材が延伸セクションを有し、スライドレールのフック部と引き出しのサイド壁との間に取り付けられる様子を示す模式図である。
【発明を実施するための形態】
【００１８】
（一実施形態）
図１に示す通り、本発明一実施形態のシステム１０は、キャビネット体１２、少なくとも１個の引き出し１４及び少なくとも一対のスライドレールキット１６を有する。
【００１９】
システム１０は、家具或いはキャビネットのシステムである。
ここでは、システム１０は例として、２個の引き出し１４を有する。
引き出し１４は、いずれか一対のスライドレールキット１６により、キャビネット体１２に設置される。
本実施形態のいずれか一対のスライドレールキット１６は、アンダーマウント式引き出しスライドレール（ｕｎｄｅｒｍｏｕｎｔ  ｄｒａｗｅｒ  ｓｌｉｄｅ）を採用する。
いずれか一対のスライドレールキット１６は、引き出し１４両側の底部に取り付けられる。
【００２０】
この配置に基づき、引き出し１４は、いずれか一対のスライドレールキット１６により、簡単に、キャビネット体１２内から引き出され、或いはキャビネット体１２内に押入れられ収納される。
引き出し１４は、一対のサイド壁１８を有する。
各サイド壁１８は、前端部２０ａ及び後端部２０ｂを有する。
各サイド壁１８の前端部２０ａは共同で前板２２に連接し、各サイド壁１８の後端部２０ｂは共同で後板２４に連接する。
各スライドレールキット１６は、第一レール２８を有し、キャビネット体１２に固定して取り付けられる。
【００２１】
図２及び図３に示す通り、スライドレールキット１６はさらに、第二レール３０を有し、第一レール２８に相対して可動するように移動する。
一実施形態では、キャリアレール３２をさらに有し、引き出し１４のサイド壁１８に固定するように連接する。
サイド壁１８の前端部２０ａは、キャリアレール３２を通して、迅速分解構造など（この部分は図示なし）により、第二レール３０に連接する。
キャリアレール３２にはさらに、ギャップ３４及び係止壁３６を設置し、係止壁３６は、サイド壁１８に隣り合う後端部２０ｂに位置する。
係止壁３６は、ギャップ３４の下縁に隣り合い、第二レール３０は、フック部３８を有しギャップ３４に対応する。
外力Ｆ１を加えると、第二レール３０のフック部３８は、ギャップ３４に進入し、係止壁３６に掛けて設置される。
【００２２】
図４に示す通り、引き出し１４のサイド壁１８の後端部２０ｂは、縦方向セクション４０と横方向セクション４２を有し、横方向セクション４２は、縦方向セクション４０に連接する。
詳細に言えば、縦方向セクション４０と横方向セクション４２は、おおよそＬ形状を呈し、しかも縦方向セクション４０と横方向セクション４２とは、共同で凹部４４を定義する。
取り付け対応部材４６は、予めサイド壁１８に取り付けることができる。
取り付け対応部材４６は、第一取り付け部４８と第二取り付け部５０を有し、第二取り付け部５０は、第一取り付け部４８におおよそ垂直に連接される。
第二取り付け部５０は、第一取り付け部４８を、第一部５２と第二部５４とに区分する。
好ましくは、延伸セクション５６をさらに有し、延伸セクション５６は第二取り付け部５０より延伸する。
該取り付け対応部材４６は少なくとも１個の固定部材５８によりサイド壁１８の後端部２０ｂに連接されている。
【００２３】
図５に示す通り、取り付け対応部材４６をサイド壁１８に固定するように連接すると、第二取り付け部５０は、サイド壁１８の凹部４４内に対応して取り付けられる。
しかも、取り付け対応部材４６の第一取り付け部４８の第二部５４は、サイド壁１８の縦方向セクション４０に接触される。
後板２４は、取り付け対応部材４６により、サイド壁１８と一体に取り付けられる。
具体的には、後板２４は、端部６０を有し、第一取り付け部４８の第一部５２と第二取り付け部５０が形成する挟角に取り付けられる。
好ましくは、少なくとも１個の連接部材６２は、第一部５２の少なくとも１個の取り付け特徴６４に取り付けられ、後板２４に連接する。
【００２４】
図６に示す通り、少なくとも１個の連接部材６２は第一取り付け部４８の第一部５２を通過し、後板２４に連接され、これにより後板２４の端部６０は、取り付け対応部材４６に堅固に取り付けられる。
この他、取り付け対応部材４６の第二部５４の幅Ｗ１は、サイド壁１８の縦方向セクション４０の幅Ｗ２におおよそ等しい。
これにより、取り付け対応部材４６をサイド壁１８に取り付ける際に、縦方向セクション４０との対応性を向上させられる。
【００２５】
図７に示す通り、サイド壁１８は、外壁部６６と内壁部６８を有し、内壁部６８の位置は、外壁部６６に相対する。
キャリアレール３２は、引き出し１４のサイド壁１８に固定するように連接し、例えばキャリアレール３２は、サイド壁１８の外壁部６６に固定するように連接される。
第二レール３０のフック部３８は、キャリアレール３２のギャップ３４に進入し、係止壁３６に掛けて設置される。
取り付け対応部材４６の延伸セクション５６は、第二取り付け部５０の底部７０より湾曲して延伸し、しかも延伸セクション５６は、フック部３８と外壁部６６との間に取り付けられる。
この配置に基づき、延伸セクション５６は、フック部３８と外壁部６６との間の間隙を消すことができる。
【００２６】
前述した本発明の実施形態は本発明を限定するものではなく、よって、本発明により保護される範囲は特許請求の範囲を基準とする。
【符号の説明】
【００２７】
１０  システム、
１２  キャビネット体、
１４  引き出し、
１６  スライドレールキット、
１８  サイド壁、
２０ａ  前端部、
２０ｂ  後端部、
２２  前板、
２４  後板、
２６  底板、
２８  第一レール、
３０  第二レール、
３２  キャリアレール、
３４  ギャップ、
３６  係止壁、
３８  フック部、
４０  縦方向セクション、
４２  横方向セクション、
４４  凹部、
４６  取り付け対応部材、
４８  第一取り付け部、
５０  第二取り付け部、
５２  第一部、
５４  第二部、
５６  延伸セクション、
５８  固定部材、
６０  端部、
６２  連接部材、
６４  取り付け特徴、
６６  外壁部、
６８  内壁部、
７０  底部、
Ｆ１  外力、
Ｗ１、Ｗ２  幅。
【図１】
0006412536.tif 000002
【図２】
0006412536.tif 000003
【図３】
0006412536.tif 000004
【図４】
0006412536.tif 000005
【図５】
0006412536.tif 000006
【図６】
0006412536.tif 000007
【図７】
0006412536.tif 000008